(57)【要約】【課題】的確に開封し、包装されたサンドイッチを適正に取り出すことができ、しかも生産性に優れ、また包装されたサンドイッチが変形することがないようにした食品用の包装袋を提供する。【解決手段】重ね合わされている台形状の表フィルム１０と裏フィルム２０の両側縁１１，２１がシールされ、幅の細い一端側がシール部１によって封止され、幅の広い他端側が開口部２によって拡開可能とされ、前記裏フィルム２０のシール部１側から開口部２側へ引き裂かれる部分が開裂部２５とされている食品用の包装袋において、前記開裂部２５の幅を規制するための一対のガイドシート４，４が、裏フィルム２０の開裂部２５の両側であって、裏フィルム２０を補強すべく、それぞれ裏フィルム２０の側縁側の折込み予定線２６，２６を跨ぐように設ける。【選択図】　図１
2004142765.tif 000002
【特許請求の範囲】
【請求項１】
重ね合わされている表フィルムと裏フィルムの両側縁がシールされ、一端側がシール部によって封止され、他端側が開口部によって開口可能とされ、前記表フィルムまたは裏フィルムのシール部側から開口部側へ引き裂かれる部分が開裂部とされている食品用の包装袋において、
前記開裂部の幅を規制すべく開裂部が設けられたフィルムの両側に貼着される一対のガイドシートが、それぞれフィルムの側縁側の折込み予定線を跨ぐように形成されていることを特徴とする食品用の包装袋。
【請求項２】
前記ガイドシートは、一端側のシール部から該ガイドシートが設けられたフィルムの他端側の折込み予定線までの長さに形成されていることを特徴とする請求項１に記載の食品用の包装袋。
【請求項３】
前記フィルムを引き裂く起点である開封起点には、前記一対のガイドシートの間隔とほぼ同じ寸法の幅を有する開封片が貼着されていることを特徴とする請求項１または２に記載の食品用の包装袋。
【請求項４】
前記フィルムには、該フィルムを引き裂くための切断手段が前記開封起点から開口部に向けて設けられていることを特徴とする請求項１から３のいずれか一つに記載の食品用の包装袋。
【発明の詳細な説明】
【０００１】
【発明の属する技術分野】
本発明は、サンドイッチやカステラなどの食品（以下、「サンドイッチ」という。）を包装する食品用の包装袋に関し、詳しくは、的確に開封して包装されたサンドイッチを適正に取り出すことができ、しかも包装袋（サンドイッチを包装袋で包装した結果物）の側面に外力が加えられても、中身のサンドイッチが変形しにくいようにした食品用の包装袋に関する。
【０００２】
【従来の技術】
直角三角形状のサンドイッチは、例えば図６から図８に示すような食品用の包装袋に包装されて販売されている。この食品用の包装袋は、図６に示すように重ね合わされている台形状の表フィルム１１０と裏フィルム１２０との両側縁１１１，１２１が熱によって極細にシールされ、幅の細い一端（以下、「上」という。）側が帯状のシール部１０１によって封止され、幅の広い他端（以下、「下」という。）側が開口部１０２によって開口可能とされている。開口部１０２を拡開しやすいようにするため、表フィルム１１０は図６の点線に示すように裏フィルム１２０よりもわずかに短く形成され、あるいは裏フィルム１２０が表フィルム１１０よりもわずかに短く形成されている。
【０００３】
さらに、シール部１０１から上側は、表フィルム１１０と裏フィルム１２０が重ね合わされた突出片１１２，１２２とされ、該突出片１１２，１２２の周囲が熱によって極細にシールされている。このような突出片１１２，１２２の上縁は円弧状や波形状のようなデザイン性に富んだ形状とされることがある。
【０００４】
さらに、裏フィルム１２０の突出片１２２には、逆Ｕ字形の切込線１２３が入れられ、該切込線１２３の内側が舌片状の摘み片１２４とされている。表フィルム１１０と裏フィルム１２０とは単に重ね合わされているだけであるから、摘み片１２４は摘み上げることができる。そして、裏フィルム１２０の内面には、この摘み片１２４からシール部１０１を交差して開口部１０２付近まで、裏フィルム１２０を引き裂くための細い帯状の切断手段（以下、「カットテープ」という。）１０３が貼り付けられている。
【０００５】
このような食品用の包装袋は、表フィルム１１０と裏フィルム１２０とが重ね合わされた状態から、図７に示すように表フィルム１１０と裏フィルム１２０とが直角に折り曲げられて角部１１５，１２５が形成され、開口部１０２が長方形状に開口されることにより、側面がほぼ三角形の袋状の空間１０４が形成される。この空間１０４内にサンドイッチＳが収容され、開口部１０２側の表フィルム１１０と裏フィルム１２０は、図８に示すように折り込まれて底部１０５とされ、該底部１０５は粘着テープ（図示せず）などによって封緘され、サンドイッチＳが包装される。
【０００６】
そして、包装されたサンドイッチＳを食するには、裏フィルム１２０の突出片１２２に設けられた摘み片１２４を摘んで真っ直ぐ下方向へ引っ張ることにより、図８に示すようにカットテープ１０３がシール部１０１の裏フィルム１２０を裁断し、さらに真っ直ぐ下方向に引っ張ることにより、裏フィルム１２０を下方へ引き裂く。裏フィルム１２０が底部１０５の方まで引き裂かれることにより、食品用の包装袋は開封され、サンドイッチＳを引き裂かれた裏フィルム１２０側から取り出すことができる。
【０００７】
このような食品用の包装袋では、カットテープ１０３は細い方が裏フィルム１２０を引き裂きやすいことから、一般的に細めのものが裏フィルム１２０に貼り付けられている。しかし、サンドイッチＳは幅が広いため、裏フィルム１２０が細く引き裂かれただけでは、サンドイッチＳを取り出しにくく、サンドイッチＳを取り出すためには、細く引き裂かれた裏フィルム１２０の間隔を広げなければならず、面倒である。
【０００８】
そこで、裏フィルムを広い幅で引き裂くための開封用フィルム片と、該開封用フィルム片の両側に配置される一対の帯状の防護テープとがそれぞれ裏フィルムに貼着されていることを特徴とする食品包装用袋が実用新案登録第３０８４９６８号公報に開示されている。
【０００９】
【特許文献１】
実用新案登録第３０８４９６８号公報（図８）
【００１０】
【発明が解決しようとする課題】
実用新案登録第３０８４９６８号公報に開示された食品包装用袋は、裏フィルムに貼着された幅の広い開封用フィルム片の上端に開封用撮み片が設けられている。この開封用撮み片を下方に引っ張ることにより、裏フィルムは開封用フィルム片の幅で引き裂かれる。そして、開封用フィルム片の両側で裏フィルムに貼着されている一対の帯状の防護テープによって、裏フィルムが防護テープの幅よりも不必要に広く引き裂かれることがなく、サンドイッチが不用意にこぼれ落ちないようにされている。
【００１１】
ところで、前記実用新案登録第３０８４９６８号公報に開示された食品包装用袋を含め、従来のいずれの食品用の包装袋も開封に際して包装袋の側面に必要以上の外力が加えられて、包装されたサンドイッチが押しつぶされたように変形してしまうことがある。これは、従来のいずれの食品用の包装袋も包装袋の定型性を維持すべく補強を施すということが観念されていないからである。
【００１２】
そこで、本発明は、的確に開封して包装されたサンドイッチを適正に取り出すことができるようにした上で、側面に外力が加えられても、包装されたサンドイッチが変形しにくいようにした食品用の包装袋を提供することを課題とする。
【００１３】
【課題を解決するための手段】
本発明に係る食品用の包装袋は、重ね合わされている表フィルムと裏フィルムの両側縁がシールされ、一端側がシール部によって封止され、他端側が開口部によって開口可能とされ、前記表フィルムまたは裏フィルムのシール部側から開口部側へ引き裂かれる部分が開裂部とされている食品用の包装袋において、前記開裂部の幅を規制すべく開裂部が設けられたフィルムの両側に貼着される一対のガイドシートが、それぞれフィルムの側縁側の折込み予定線を跨ぐように形成されていることを特徴としている。
【００１４】
この食品用の包装袋によれば、サンドイッチを包装したフィルムは、一対のガイドシートがフィルムの両側に設けられていることにより、側縁の方へ引き裂かれず、該一対のガイドシートに沿って包装袋の取出し面上でのみ引き裂かれる。さらに、該ガイドシートはフィルムの側縁側の折込み予定線を跨ぐように設けられることにより、サンドイッチを包装するときにできる角部に重ね合わされ、該角部を補強するとともに、ガイドシートが該包装袋の取出し面と側面に重ね合わされた状態となり、該取出し面と側面に外力が加えられても、包装されたサンドイッチが変形しにくいようにすることができる。
【００１５】
また、前記ガイドシートは、一端側のシール部から該ガイドシートが設けられたフィルムの他端側の折込み予定線までの長さに形成されていることが好ましい。この食品用の包装袋によれば、フィルムは他端側の折込み予定線で折り込まれるため、ガイドシートは包装されるサンドイッチの高さと一致し、一端側のシール部と該折込み予定線を結ぶ方向の外力が包装袋に加えられても、中身のサンドイッチを変形しにくいようにすることができる。
【００１６】
また、前記フィルムを引き裂く起点である開封起点には、前記一対のガイドシートの間隔とほぼ同じ寸法の幅を有する開封片が貼着されていることが好ましい。この食品用の包装袋によれば、開封起点に開封片が貼着されることにより、開封片が開口部の方へ引っ張られると、フィルムは開封片の幅で開封される。そして、該開封片の幅が一対のガイドシートの間隔と同じとされていることにより、該フィルムは一対のガイドシートの間隔で引き裂かれ、広い範囲で開封することができる。
【００１７】
また、前記フィルムには、該フィルムを引き裂くための切断手段が前記開封起点から開口部に向けて設けられていることが好ましい。この食品用の包装袋によれば、フィルムがガイドシート間で先細りに引き裂かれた場合であっても、最小限、切断手段の幅でもって最後まで確実にフィルムを引き裂くことができる。
【００１８】
【発明の実施の形態】
本発明に係る食品用の包装袋の一実施形態について図１から図５を参照しながら説明する。
【００１９】
本実施形態の食品用の包装袋も従来と同様、重ね合わされている台形状の表フィルム１０と裏フィルム２０の両側縁１１，２１が熱によって極細にシールされ、幅の細い一端（以下、「上」という。）側が帯状のシール部１によって封止され、幅の広い他端（以下、「下」という。）側が開口部２によって開口可能とされている。開口部２を開口しやすいようにするため、表フィルム１０は図１および図２の点線に示すように裏フィルム２０よりもわずかに短く形成され、あるいは裏フィルム２０が表フィルム１０よりもわずかに短く形成されている。
【００２０】
さらに、シール部１から上側は、表フィルム１０と裏フィルム２０が重ね合わされた突出片１２，２２とされ、該突出片１２，２２の周囲が熱によって極細にシールされている。この突出片１２，２２には、商標などが印刷され、また突出片１２，２２を摘んで本包装袋を陳列棚から取り出せるようにされている。さらに、突出片１２，２２の上縁は円弧状や波形状のようなデザイン性に富んだ形状とされることがある。
【００２１】
そして、裏フィルム２０の突出片２２には、逆Ｕ字形の切込線２３が入れられ、該切込線２３の内側が舌片状の摘み片２４とされている。表フィルム１０と裏フィルム２０とは単に重ね合わされているだけであるから、摘み片２４は摘み上げることができる。
【００２２】
そして、裏フィルム２０の内面には、裏フィルム２０を引き裂くための帯状の切断手段（以下、「カットテープ」という。）３が貼り付けられている。このカットテープ３は、シール部１の中心と直交するように摘み片２４からシール部１を交差して開口部２付近まで貼り付けられている。
【００２３】
そして、前記カットテープ３よりも広い幅で、裏フィルム２０のシール部１から開口部２側へ引き裂かれる部分が開裂部２５とされる。開裂部２５は、包装されるサンドイッチＳ（図７参照）を取り出しやすい幅、例えばシール部１の長さの少なくとも２０％以上、好ましくは５０％以上の広い幅とされている。なお、シール部１から開口部２付近までのカットテープ３は、開裂部２５と同じ広い幅としてもよい。
【００２４】
そして、本実施形態の食品用の包装袋は、前記開裂部２５の幅を規制するための一対のガイドシート４が、裏フィルム２０の開裂部２５の両側であって、それぞれ裏フィルム２０の側縁２１側の折込み予定線２６を跨ぐように設けられていることを特徴としている。ガイドシート４は、側縁側の折込み予定線２６を跨ぐように設けられることにより、本食品用の包装袋がサンドイッチＳを包装した状態の裏フィルム２０の角部２７（図５参照）に重ね合わされ、該角部２７を補強するとともに、ガイドシート４が一対の側縁２１，２１側の折込み予定線２６，２６間の取出し面２０ａと、一方の折込み予定線２６と側縁２１との間の側面２０ｂに重ね合わされた状態となって該裏フィルム２０が補強され、該取出し面２０ａあるいは側面２０ｂとに外力が加えられても、包装されたサンドイッチＳが変形しにくいようにされている。
【００２５】
さらにガイドシート４は、シール部１から裏フィルム２０の他端側の折込み予定線２８までの長さに形成される。裏フィルム２０はこの折込み予定線２８で折り込まれてサンドイッチＳを包装するため、ガイドシート４は包装されたサンドイッチＳの高さと一致し、裏フィルム２０と重ね合わされることにより、上下方向の外力が包装されたサンドイッチＳに加えられても、該サンドイッチＳは変形しにくいようにされている。
【００２６】
このようなガイドシート４としては、内側の側縁４ａが開裂部２５の両側のラインと一致し、外側の側縁４ｂが極細にシールされている表フィルム１０と裏フィルム２０の側縁１１，２１と一致する斜辺とされ、そして上側の端縁４ｃがシール部１と一致し、下側の端縁４ｄが裏フィルム２０の折込み予定線２８と一致するような例えば台形状とされている。この台形状のガイドシート４，４は、熱や接着剤などによって全周または全面で裏フィルム２０に貼着される。
【００２７】
このようなガイドシート４は、図３に示すように裏フィルム２０の内面、または図４に示すように裏フィルム２０の外面に貼着される。図３に示すようにガイドシート４が裏フィルム２０の内面に貼着されるときは、ガイドシート４の外縁４ｂが表フィルム１０と裏フィルム２０の側縁１１，２１に挟まれた状態で、三者４ｂ，１１，２１を一体に熱によってシールすることができる。また、ガイドシート４が裏フィルム２０の内面に貼着されるときは、ガイドシート４によって外観が損ねられないという利点を有する。
【００２８】
他方、図４に示すようにガイドシート４が裏フィルム２０の外面に貼着されるときは、ガイドシート４が裏フィルム２０からめくれあがったり、外れたりすることがないように、ガイドシート４の全周が帯状にまたは全面で裏フィルム２０の外面に貼着される。そして、このようにガイドシート４が裏フィルム２０の外面に貼着されるときは、裏フィルム２０はガイドシート４とカットテープ３とに挟まれて剪断力が加えられる状態に切断されて引き裂くことができるという利点を有する。
【００２９】
さらに、本実施形態の食品用の包装袋は、図１および図２に示すように突出片２２に設けられた摘み片２４が開封起点５とされ、この開封起点５を含めて開封片６が貼着されている。
【００３０】
開封片６は、裏シート２０の内面側に配置され、裏フィルム２０のシール部１と開口部２との間であって、シール部１に近接した位置に貼着される基端部６ａと、突出片２２に設けられた摘み片２４に貼着される先端部６ｂとから構成されている。開封片６の基端部６ａは、一対のガイドシート４，４の間隔と同じ幅とされ、この基端部６ａが裏フィルム２０を一対のガイドシート４，４の間隔で引き裂く起点とされている。一方、開封片６の先端部６ｂは、摘み片２４を摘み上げることができるように、摘み片２４の周囲の裏フィルム２０には貼着されていない。このような開封片６は、例えば図１に示す逆Ｙ字形や図２に示す逆Ｖ字形とされる他、逆Ｕ字形や逆Ｔ字形など特定するものではない。
【００３１】
また、表フィルム１０の内面には、図３および図４に示すようにサンドイッチＳとほぼ同じ幅の内フィルム７が貼着されている。この内フィルム７によって、例えばサンドイッチＳの材料として、ゆで卵とマヨネーズなどをミックスした粘状物が含まれていても、この粘状物が内フィルム７に付着し、表フィルム１０が汚れないようにされている。
【００３２】
そして、本実施形態の食品用の包装袋にあっても、表フィルム１０と裏フィルム２０とが重ね合わされた状態から開口部２が長方形状に開口されることにより、折込み予定線２６が角部２７となり、側面がほぼ三角形の袋状の空間（図示せず）が形成される。このとき、ガイドシート４は裏フィルム１０の角部２７に重ね合わされる状態となる。
【００３３】
そして、前記空間内にサンドイッチＳが収納され、開口部２側の表フィルム１０と裏フィルム２０とが折り込まれて底部８とされ、該底部８は粘着テープ（図示せず）などによって封緘され、サンドイッチＳが包装される。このとき、ガイドシート４の下側の端縁４ｄはサンドイッチＳの底部８と一致している。また、ガイドシート４は包装袋の取出し面２０ａと側面２０ｂにも重ね合わされた状態となって裏フィルム２０を該正面と側面とから補強し、さらに取出し面２０ａにおける包装袋の底部から上端まで裏フィルム２０と重ね合わされた状態となっているため、包装袋に外力が加えられても、該サンドイッチＳは変形しにくくなっている。
【００３４】
そして、包装されたサンドイッチＳを食するには、貼着されている摘み片２４と開封片６の先端部６ｂとを摘んで真っ直ぐ下方向へ引っ張る。このとき、包装袋の側面がつかまれて、サンドイッチＳに外力が加えられても、ガイドシート４，４の補強の効果により、該サンドイッチＳは変形しにくくなっている。
【００３５】
摘み片２４と開封片６とをさらに真っ直ぐ下の底部８の方向に引っ張ると、開封片６の基端部６ａが裏フィルム２０の開裂部２５の両側を図５に示すように引き裂く。裏フィルム２０には一対のガイドシート４，４が貼着されているため、裏フィルム２０は、開裂部２５から外れて両側縁１１，２１の方へ引き裂かれることがなく一定の幅で開裂されることとなる。
【００３６】
また、摘み片２４と開封片６の引っ張る状態が適切でなく、万が一、裏フィルム２０がガイドシート４の内側の側縁４ａに沿わず、先細りに引き裂かれたときであっても、カットテープ３によって最小限、カットテープ３の幅でもって裏フィルム２０は底部８の方まで引き裂かれる。このようにして包装袋が開封されることによって、包装されたサンドイッチＳを確実に取り出すことができる。
【００３７】
なお、本発明は前記発明の実施の形態に限定することなく特許請求の範囲に記載した技術的事項の範囲内において種々変更することができる。例えば、一対のガイドシート４，４は表フィルム１０に設けられてもよい。
【００３８】
そして、発明の詳細な説明において説明した上下の位置関係は、図示した場合の位置関係であって、実際の上下の位置関係とは異なる場合があることはいうまでもない。
【００３９】
【発明の効果】
本発明によれば、表フィルムまたは裏フィルムのシール部から開口部側へ引き裂かれる開裂部の幅を規制するための一対のガイドシートが引き裂かれるフィルムの両側であって、該フィルムを補強すべくそれぞれフィルムの側縁側の折込み予定線を跨ぐように設けられたことにより、折込み線がサンドイッチを包装したときにできる角部のフィルムと重ね合わされた状態となって補強され、包装されたサンドイッチに外力が加えられても変形しにくいようにすることができる。したがって、開封袋は、サンドイッチが販売されるまでの段階において、外観が悪いことに起因する売れ残りを解消し、また食する段階において、サンドイッチの柔らかい感覚を味わうことができる。
【００４０】
しかも、フィルムの開裂幅を規制する機能を実現する部材と補強する機能を実現する部材とが別々ではなく、ガイドシートが両方の機能を担うことで、生産コストの低減を図ることもできる。
【図面の簡単な説明】
【図１】本発明に係る食品用の包装袋の一実施形態を示す正面図
【図２】同じく変形例を示す正面図
【図３】本発明に係る食品用の包装袋の一実施形態を示す断面平面図
【図４】同じく別の変形例を示す断面平面図
【図５】本発明に係る食品用の包装袋の一実施形態を示す斜視図
【図６】従来の食品用の包装袋の正面図
【図７】従来の食品用の包装袋の斜視図
【図８】従来の食品用の包装袋によって包装されたサンドイッチの斜視図
【符号の説明】
１…シール部
２…開口部
３…切断手段（カットテープ）
４…ガイドシート
５…開封起点
６…開封片
１０…表フィルム
１１…側縁
２０…裏フィルム
２１…側縁
２５…開裂部
２６…（フィルムの側縁側の）折込み予定線
２８…（フィルムの他端側の）折込み予定線
【図１】
2004142765.tif 000003
【図２】
2004142765.tif 000004
【図３】
2004142765.tif 000005
【図４】
2004142765.tif 000006
【図５】
2004142765.tif 000007
【図６】
2004142765.tif 000008
【図７】
2004142765.tif 000009
【図８】
2004142765.tif 000010